(57)【要約】【課題】広帯域を容易に実現可能であり、非接触型情報記録媒体に用いられて誘電体に貼付された場合であっても、情報の書き込み／読み出し率を向上させる。【解決手段】  二等辺三角形の形状を有する２つの導体１０ａ，１０ｂが、二等辺三角形の等しい辺がなす頂点どうしを結んだ直線が二等辺三角形の底辺１１ａ，１１ｂのそれぞれに対して垂直となるように、かつ、頂点どうしが空隙を有するように配置され、頂点に給電点２０ａ，２０ｂが設けられてなる広帯域アンテナにおいて、２つの導体１０ａ，１０ｂそれぞれの二等辺三角形の底辺１１ａ，１１ｂを、二等辺三角形の頂点側に凹んだ曲線状とする。【選択図】図１
2006074187.tif 000002
【特許請求の範囲】
【請求項１】
二等辺三角形の形状を有する２つの導体が、前記二等辺三角形の等しい辺がなす頂点どうしを結んだ直線が前記二等辺三角形の底辺のそれぞれに対して垂直となるように、かつ、前記頂点どうしが空隙を有するように配置され、前記頂点に給電点が設けられてなる広帯域アンテナにおいて、
前記２つの導体それぞれの形状を、前記二等辺三角形の底辺が当該二等辺三角形の頂点側に凹んだ形状としたことを特徴とする広帯域アンテナ。
【請求項２】
請求項１に記載の広帯域アンテナにおいて、
前記２つの導体それぞれの形状を、前記二等辺三角形の底辺が曲線状となる形状としたことを特徴とする広帯域アンテナ。
【請求項３】
請求項１または請求項２に記載の広帯域アンテナを有する非接触型情報記録媒体であって、
前記広帯域アンテナがベース基材上に形成され、
前記ベース基材上に、前記２つの導体それぞれの給電点に接続され、前記２つの導体を介して非接触状態にて情報の書き込み及び読み出しが可能なＩＣチップが搭載されてなる非接触型情報記録媒体。
【請求項４】
請求項３に記載の非接触型情報記録媒体において、
前記２つの導体それぞれの二等辺三角形の等しい辺を足した長さが、前記ＩＣチップに対する情報の書き込み及び読み出しに用いられる周波数と前記ベース基材の透磁率及び誘電率とから求まる波長をλとした場合、λ／２であることを特徴とする非接触型情報記録媒体。
【発明の詳細な説明】
【技術分野】
【０００１】
本発明は、広帯域な特性を有する広帯域アンテナ及びこれを有する非接触型情報記録媒体に関する。
【背景技術】
【０００２】
昨今、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込み及び読み出しを行うことが可能なＩＣが搭載された非接触型ＩＣカードや非接触型ＩＣラベル、あるいは非接触型ＩＣタグがその優れた利便性から急速な普及が進みつつある。
【０００４】
非接触状態にて情報の書き込み及び読み出しが可能な非接触型ＩＣカードや非接触型ＩＣラベル、非接触型ＩＣタグにおいては、近年、小型化及び通信可能距離を確保するために、２．４５ＧＨｚの周波数帯を利用して通信を行う微細なＩＣチップが用いられることが多くなってきている。
【０００５】
このような微細なＩＣチップを用いた場合、ＩＣチップに導電性のアンテナを接続することにより、ＩＣチップの通信可能距離を延ばすことができる。
【０００６】
図６は、２．４５ＧＨｚの周波数帯を利用して通信を行うＩＣチップが搭載された非接触型ＩＣタグの一例を示す図であり、（ａ）は上面図、（ｂ）は（ａ）に示したＡ−Ａ’断面図である。
【０００７】
本構成例は図６に示すように、樹脂や紙等からなるベース基材２０２上に、互いに直列に並ぶように所定の間隔を有して形成された２つの帯状の導体２１０ａ，２１０ｂからなるアンテナ部２１０が形成されており、この２つの導体２１０ａ，２１０ｂに接続されるように、非接触状態にて情報の書き込み及び読み出しが可能なＩＣチップ２０１が搭載されて構成されている。
【０００８】
上記のように構成された非接触型ＩＣタグ２００においては、外部に設けられた情報書込／読出装置（不図示）に近接させることにより、情報書込／読出装置からの電波によりアンテナ部２１０に電流が流れ、この電流がＩＣチップ２０１に供給され、それにより、非接触状態において、情報書込／読出装置からＩＣチップ２０１に情報が書き込まれたり、ＩＣチップ２０１に書き込まれた情報が情報書込／読出装置にて読み出されたりする。
【０００９】
以下に、上述した非接触型ＩＣタグ２００の周波数特性について説明する。
【００１０】
図７は、図６に示した非接触型ＩＣタグ２００の周波数特性を説明するための図であり、ＩＣチップ２０１に対する情報の書き込み及び読み出しに用いる周波数に対する非接触型ＩＣタグ２００のリターンロスを示す。
【００１１】
図６に示した非接触型ＩＣタグ２００においては、図７に示すように、情報の書き込み及び読み出しに用いる周波数によってリターンロスが変化するため、リターンロスが最も低くなるアンテナ部２１０における共振点であるピークポイントＡにおける周波数を、情報の書き込み及び読み出しに用いる周波数ｆaに設定する必要がある。ここで、アンテナ部２１０においては、その長さが、情報の書き込み及び読み出しに用いる周波数ｆaとベース基材２０２の比透磁率及び比誘電率とから求まる波長λの１／２である場合に、その共振点における周波数がｆaとなって共振し、ＩＣチップ２０１に対する情報の書き込みや読み出しが可能となる。そのため、アンテナ部２１０における共振点であるピークポイントＡにおける周波数が、情報の書き込み及び読み出しに用いる周波数ｆaとなるように、アンテナ部２１０の長さを、情報の書き込み及び読み出しに用いる周波数ｆaとベース基材２０２の比透磁率及び比誘電率とを用いて設定すれば、ＩＣチップ２０１に対する情報の書き込みや読み出しが可能となる。
【００１２】
ここで、上述したような非接触型ＩＣタグ２００が、例えば、書籍等の物品に貼付されて使用された場合、書籍等の物品は誘電体で構成されているため、物品に貼付された非接触型ＩＣタグ２００のアンテナ部２１０の周波数特性が低い周波数方向にシフトすることになる。そのため、アンテナ部２１０の共振点が、情報の書き込み及び読み出しに用いる周波数ｆaに対してずれてしまい、非接触型ＩＣタグ２００に対する情報の書き込み及び読み出しができなくなってしまう虞れがある。特に、上述した２．４５ＧＨｚの周波数帯を利用したＩＣチップ２０１においては、このような現象が顕著に生じてしまう。
【００１３】
ところで、従来より、二等辺三角形からなる２つの導体が、その頂点が空隙を介して互いに対向するように配置されてなるボウタイアンテナが利用されている。
【００１４】
図８は、一般的なボウタイアンテナを有する非接触型ＩＣタグの一例を示す図であり、（ａ）は上面図、（ｂ）は（ａ）に示したＡ−Ａ’断面図である。
【００１５】
本例は図８に示すように、樹脂や紙等からなるベース基材２０２上に、二等辺三角形の形状を有する２つの導体３１０ａ，３１０ｂが、二等辺三角形の等しい辺がなす頂点どうしを結んだ直線が二等辺三角形の底辺のそれぞれに対して垂直となるように、かつ、頂点どうしが空隙を有するように配置されてなるアンテナ部３１０が形成されており、この２つの導体３１０ａ，３１０ｂに接続されるように、非接触状態にて情報の書き込み及び読み出しが可能なＩＣチップ３０１が搭載されて構成されている。
【００１６】
上記のように構成された非接触型ＩＣタグ３００においては、外部に設けられた情報書込／読出装置（不図示）に近接させることにより、情報書込／読出装置からの電波によりアンテナ部３１０に電流が流れ、この電流がＩＣチップ３０１に供給され、それにより、非接触状態において、情報書込／読出装置からＩＣチップ３０１に情報が書き込まれたり、ＩＣチップ３０１に書き込まれた情報が情報書込／読出装置にて読み出されたりする。
【００１７】
以下に、上述した非接触型ＩＣタグ３００の周波数特性について説明する。
【００１８】
図９は、図８に示した非接触型ＩＣタグ３００の周波数特性を説明するための図であり、ＩＣチップ３０１に対する情報の書き込み及び読み出しに用いる周波数に対する非接触型ＩＣタグ３００のリターンロスを示す。
【００１９】
図８に示した非接触型ＩＣタグ３００においては、アンテナ部３１０における共振点の周波数は、図６に示したものと同様に、アンテナ部３１０の長さとベース基材３０２の比
透磁率及び比誘電率とによって設定されるが、本例においては、アンテナ部３１０の長さが変化するため、それぞれの長さに応じた共振点が存在する。具体的には、図８に示した非接触型ＩＣタグ３００について、Ｂ−Ｂ’間と、Ｃ−Ｃ’間とではアンテナ部３１０の長さが異なるため、Ｂ−Ｂ’間の長さと、Ｃ−Ｃ’間の長さとのそれぞれに応じた共振点が存在することになる。さらに、アンテナ部３１０を構成する２つの導体３１０ａ，３１０ｂがそれぞれ二等辺三角形の形状を有するものであるため、アンテナ部３１０の長さは、Ｂ−Ｂ’間からＣ−Ｃ’間に渡って無段階に変化している。
【００２０】
このため、図９に示すように、アンテナ部３１０においては、Ｂ−Ｂ’間の長さによる共振点となるピークポイントＡと、Ｃ−Ｃ’間の長さによる共振点となるピークポイントＢとが存在し、かつ、このピークポイント間はリターンロスがほぼ一定なものとなる。
【００２１】
これにより、Ｂ−Ｂ’間の長さによる共振点となるピークポイントＡにおける周波数が、情報の書き込み及び読み出しに用いる周波数ｆaとなるようにＢ−Ｂ’間の長さを設定しておけば、後に、非接触型ＩＣタグ３００が、例えば、書籍等の物品に貼付されて使用され、アンテナ部３１０の周波数特性が低い周波数方向にシフトした場合であっても、情報の書き込み及び読み出しに用いる周波数ｆaがピークポイントＡとピークポイントＢとの間にあれば、非接触型ＩＣタグ３００に対する情報の書き込み及び読み出しを行うことができる。
【００２２】
このようなボウダイアンテナにおいては、二等辺三角形の等しい辺が足された長さが１／２波長となる周波数が所望の帯域の下限周波数となり、二等辺三角形の頂点を通って底辺に垂直となる軸線の底辺間の長さが１／２波長となる周波数が所望の帯域の上限周波数となる周波数帯で放射する広帯域なアンテナを実現することができる。
【００２３】
また、このようなボウタイアンテナにおいて、二等辺三角形の等しい辺の形状を曲線状や階段状にすることにより、下限周波数を下げ、それによりさらなる広帯域なアンテナが考えられている（例えば、特許文献１参照。）。
【特許文献１】特開２００２−１３５０３７号公報
【発明の開示】
【発明が解決しようとする課題】
【００２４】
しかしながら、上述したようなボウタイアンテナにおいては、二等辺三角形の等しい辺が足された長さが１／２波長となる周波数が所望の帯域の下限周波数となり、二等辺三角形の頂点を通って底辺に垂直となる軸線の底辺間の長さが１／２波長となる周波数が所望の帯域の上限周波数となる周波数帯で放射するものの、この周波数帯で十分であるとは言いがたい。
【００２５】
また、二等辺三角形の等しい辺の形状を曲線状や階段状にすることにより、下限周波数を下げるものにおいては、同じ大きさのボウタイアンテナに対して下限周波数を下げることはできるものの、上限周波数を上げることはできない。ここで、上述したように、アンテナが形成された非接触型情報記録媒体においては、物品等に貼付された場合、アンテナの周波数特性が低い周波数方向にシフトすることになる。そのため、上限周波数が変わらない場合、アンテナの周波数特性が低い周波数方向に大きくシフトした場合に、非接触型情報記録媒体に対する情報の書き込み及び読み出しができなくなってしまう虞れがある。そこで、曲線状や階段状とされた二等辺三角形の辺の長さを下限周波数に合わせ、それにより、実質的に上限周波数を上げることが考えられるが、その場合、元となるボウタイアンテナに対して大きさが異なることになるため、アンテナの大きさを含めて再設計しなければならないという問題点がある。
【００２６】
本発明は、上述したような従来の技術が有する問題点に鑑みてなされたものであって、広帯域を容易に実現可能であり、非接触型情報記録媒体に用いられて誘電体に貼付された場合であっても、情報の書き込み／読み出し率を向上させることができる広帯域アンテナ及びこれを有する非接触型情報記録媒体を提供することを目的とする。
【課題を解決するための手段】
【００２７】
上記目的を達成するために本発明は、
二等辺三角形の形状を有する２つの導体が、前記二等辺三角形の等しい辺がなす頂点どうしを結んだ直線が前記二等辺三角形の底辺のそれぞれに対して垂直となるように、かつ、前記頂点どうしが空隙を有するように配置され、前記頂点に給電点が設けられてなる広帯域アンテナにおいて、
前記２つの導体それぞれの形状を、前記二等辺三角形の底辺が当該二等辺三角形の頂点側に凹んだ形状としたことを特徴とする。
【００２８】
また、前記２つの導体それぞれの形状を、前記二等辺三角形の底辺が曲線状となる形状としたことを特徴とする。
【００２９】
また、前記広帯域アンテナを有する非接触型情報記録媒体であって、
前記広帯域アンテナがベース基材上に形成され、
前記ベース基材上に、前記２つの導体それぞれの給電点に接続され、前記２つの導体を介して非接触状態にて情報の書き込み及び読み出しが可能なＩＣチップが搭載されてなる。
【００３０】
また、前記２つの導体それぞれの二等辺三角形の等しい辺を足した長さが、前記ＩＣチップに対する情報の書き込み及び読み出しに用いられる周波数と前記ベース基材の透磁率及び誘電率とから求まる波長をλとした場合、λ／２であることを特徴とする。
【００３１】
上記のように構成された本発明においては、２つの導体それぞれの二等辺三角形の等しい辺が足された長さが１／２波長となる周波数が所望の帯域の下限周波数となり、二等辺三角形の頂点を通って、二等辺三角形の底辺が頂点側に凹んだ部分のうち底辺間が最も短くなる部分間の長さが１／２波長となる周波数が所望の帯域の上限周波数となる。
【００３２】
このように、所望の帯域の上限周波数を決めるための導体部分の長さが、二等辺三角形の底辺が直線である場合と比べて短くなっているので、所望の帯域の上限周波数が上がることになり、広帯域なアンテナを容易に実現することができるとともに、この広帯域アンテナが形成された非接触型情報記録媒体が誘電体に貼付され、周波数特性が低い方にシフトした場合であっても、非接触情報記録媒体のＩＣチップに対する情報の書き込み及び読み出しが可能となり、情報の書き込み／読み出し率が向上する。
【００３３】
また、非接触型情報記録媒体のＩＣチップ対する情報の書き込み及び読み出しに用いられる周波数と、広帯域アンテナが形成されたベース基材の透磁率及び誘電率とから求まる波長をλとした場合、２つの導体それぞれの二等辺三角形の等しい辺が足された長さをλ／２とすれば、広帯域アンテナがベース基材に形成された場合においても、２つの導体それぞれの二等辺三角形の等しい辺が足された長さがλ／２となる周波数を所望の帯域の下限周波数に設定することができる。
【発明の効果】
【００３４】
以上説明したように本発明においては、所望の帯域の上限周波数を決めるための導体部分の長さが、二等辺三角形の底辺が直線である場合と比べて短くなっているため、所望の帯域の上限周波数が上がることになり、広帯域なアンテナを容易に実現することができるとともに、この広帯域アンテナが形成された非接触型情報記録媒体が誘電体に貼付され、周波数特性が低い方にシフトした場合であっても、非接触情報記録媒体のＩＣチップに対する情報の書き込み及び読み出しが可能となり、情報の書き込み／読み出し率を向上させることができる。
【００３５】
また、非接触型情報記録媒体のＩＣチップ対する情報の書き込み及び読み出しに用いられる周波数と、広帯域アンテナが形成されたベース基材の透磁率及び誘電率とから求まる波長をλとした場合、２つの導体それぞれの二等辺三角形の等しい辺が足された長さをλ／２としたものにおいては、広帯域アンテナがベース基材に形成された場合においても、２つの導体それぞれの二等辺三角形の等しい辺が足された長さがλ／２となる周波数を所望の帯域の下限周波数に設定することができる。
【発明を実施するための最良の形態】
【００３６】
以下に、本発明の実施の形態について図面を参照して説明する。
【００３７】
（第１の実施の形態）
図１は、本発明の広帯域アンテナの第１の実施の形態を示す図である。
【００３８】
本形態は図１に示すように、二等辺三角形の形状を有する２つの導体１０ａ，１０ｂが、二等辺三角形の等しい辺がなす頂点どうしを結んだ直線が二等辺三角形の底辺１１ａ，１１ｂのそれぞれに対して垂直となるように、かつ、頂点どうしが空隙を有するように配置され、さらに、２つの導体１０ａ，１０ｂそれぞれの二等辺三角形の底辺１１ａ，１１ｂが、二等辺三角形の頂点側に凹んだ曲線状となって構成されている。また、２つの導体１０ａ，１０ｂの二等辺三角形の頂点に給電点２０ａ，２０ｂが設けられている。
【００３９】
上記のように構成された広帯域アンテナにおいては、２つの導体１０ａ，１０ｂの二等辺三角形の等しい辺が足された長さ、すなわちＢ−Ｂ’間の長さが１／２波長となる周波数が所望の帯域の下限周波数となり、２つの導体１０ａ，１０ｂの二等辺三角形の頂点を通って、底辺１１ａ，１１ｂが曲線状となった部分間のうちその長さが最も短くなる部分の長さ、すなわちＣ−Ｃ’間の長さが１／２波長となる周波数が所望の帯域の上限周波数となる周波数帯で放射することになり、これにより、広帯域なアンテナが実現される。
【００４０】
図２は、図１に示した広帯域アンテナを有する非接触型ＩＣラベルの一例を示す図であり、（ａ）は上面図、（ｂ）は（ａ）に示したＡ−Ａ’断面図である。
【００４１】
本例は図２に示すように、樹脂や紙等からなるベース基材２上に、図１に示した広帯域アンテナからなるアンテナ部１０が形成されており、このアンテナ部１０を構成する２つの導体１０ａ，１０ｂの給電点２０ａ，２０ｂに接続されるように、非接触状態にて情報の書き込み及び読み出しが可能なＩＣチップ１が搭載されて構成されている。
【００４２】
上記のように構成された非接触型ＩＣタグにおいては、外部に設けられた情報書込／読出装置（不図示）に近接させることにより、情報書込／読出装置からの電波によりアンテナ部１０に電流が流れ、この電流がＩＣチップ１に供給され、それにより、非接触状態において、情報書込／読出装置からＩＣチップ１に情報が書き込まれたり、ＩＣチップ１に書き込まれた情報が情報書込／読出装置にて読み出されたりする。
【００４３】
以下に、上述した非接触型ＩＣタグの周波数特性について説明する。
【００４４】
図３は、図２に示した非接触型ＩＣタグの周波数特性を説明するための図であり、ＩＣチップ１に対する情報の書き込み及び読み出しに用いる周波数に対する非接触型ＩＣタグのリターンロスを示す。
【００４５】
図２に示した非接触型ＩＣタグにおいては、図６に示したものと同様に、アンテナ部１０の長さが、情報の書き込み及び読み出しに用いる周波数ｆaとベース基材２の比透磁率及び比誘電率とから求まる波長λの１／２である場合に、アンテナ部１０の共振点における周波数がｆaとなって共振し、ＩＣチップ１に対する情報の書き込みや読み出しが可能となる。そのため、アンテナ部１０における共振点となるピークポイントにおける周波数が、情報の書き込み及び読み出しに用いる周波数ｆaとなるように、アンテナ部１０の長さを、情報の書き込み及び読み出しに用いる周波数ｆaとベース基材２の比透磁率及び比誘電率とを用いて設定すれば、ＩＣチップ１に対する情報の書き込みや読み出しが可能となる。ところが、本例においては、アンテナ部１０の長さが変化するため、それぞれの長さに応じた共振点が存在する。具体的には、図２に示した非接触型ＩＣタグについて、Ｂ−Ｂ’間と、Ｃ−Ｃ’間とではアンテナ部１０の長さが異なるため、Ｂ−Ｂ’間の長さと、Ｃ−Ｃ’間の長さとのそれぞれに応じた共振点が存在することになる。さらに、アンテナ部１０を構成する２つの導体１０ａ，１０ｂがそれぞれ、二等辺三角形の底辺１１ａ，１１ｂが頂点側に凹んだ曲線状となったものであるため、アンテナ部１０の長さは、Ｂ−Ｂ’間からＣ−Ｃ’間に渡って無段階に変化し、かつ、２つの導体１０ａ，１０ｂがそれぞれ二等辺三角形である場合と比べてアンテナ部１０におけるＣ−Ｃ’間の長さが短くなっている。
【００４６】
このため、図３に示すように、アンテナ部１０においては、Ｂ−Ｂ’間の長さによる共振点となるピークポイントＡと、Ｃ−Ｃ’間の長さによる共振点となるピークポイントＢとが存在し、かつ、このピークポイント間はリターンロスがほぼ一定なものとなり、その周波数帯が広域なものとなる。また、アンテナ部１０におけるＣ−Ｃ’間の長さが、２つの導体１０ａ，１０ｂがそれぞれ二等辺三角形である場合と比べて短くなっていることにより、ピークポイントＢが、２つの導体１０ａ，１０ｂがそれぞれ二等辺三角形である場合と比べて高い周波数に移動しており、上限周波数が上がっている。
【００４７】
これにより、Ｂ−Ｂ’間の長さによる共振点となるピークポイントＡにおける周波数が、情報の書き込み及び読み出しに用いる周波数ｆaとなるように、Ｂ−Ｂ’間の長さを、情報の書き込み及び読み出しに用いる周波数ｆaとベース基材２の比透磁率及び比誘電率とを用いて設定しておけば、後に、非接触型ＩＣタグが、例えば、書籍等の物品に貼付されて使用され、アンテナ部１０の周波数特性が低い周波数方向に大きくシフトした場合であっても、情報の書き込み及び読み出しに用いる周波数ｆaがピークポイントＡとピークポイントＢとの間にあれば、非接触型ＩＣタグに対する情報の書き込み及び読み出しを行うことができる。
【００４８】
（第２の実施の形態）
図４は、本発明の広帯域アンテナの第２の実施の形態を示す図である。
【００４９】
本形態は図４に示すように、二等辺三角形の形状を有する２つの導体１１０ａ，１１０ｂが、二等辺三角形の等しい辺がなす頂点どうしを結んだ直線が二等辺三角形の底辺１１１ａ，１１１ｂのそれぞれに対して垂直となるように、かつ、頂点どうしが空隙を有するように配置され、さらに、２つの導体１１０ａ，１１０ｂそれぞれの二等辺三角形の底辺１１１ａ，１１１ｂが、二等辺三角形の頂点側に凹んだくの字状となって構成されている。また、２つの導体１１０ａ，１１０ｂの二等辺三角形の頂点に給電点１２０ａ，１２０ｂが設けられている。
【００５０】
上記のように構成された広帯域アンテナにおいては、２つの導体１１０ａ，１１０ｂの二等辺三角形の等しい辺が足された長さ、すなわちＢ−Ｂ’間の長さが１／２波長となる周波数が所望の帯域の下限周波数となり、２つの導体１１０ａ，１１０ｂの二等辺三角形の頂点を通って、底辺１１１ａ，１１１ｂがくの字状となった部分間のうちその長さが最も短くなる部分の長さ、すなわちＣ−Ｃ’間の長さが１／２波長となる周波数が所望の帯域の上限周波数となる周波数帯で放射することになり、これにより、広帯域なアンテナが実現される。
【００５１】
図５は、図４に示した広帯域アンテナを有する非接触型ＩＣラベルの一例を示す図であり、（ａ）は上面図、（ｂ）は（ａ）に示したＡ−Ａ’断面図である。
【００５２】
本例は図５に示すように、樹脂や紙等からなるベース基材１０２上に、図４に示した広帯域アンテナからなるアンテナ部１１０が形成されており、このアンテナ部１１０を構成する２つの導体１１０ａ，１１０ｂの給電点１２０ａ，１２０ｂに接続されるように、非接触状態にて情報の書き込み及び読み出しが可能なＩＣチップ１０１が搭載されて構成されている。
【００５３】
上記のように構成された非接触型ＩＣタグにおいては、外部に設けられた情報書込／読出装置（不図示）に近接させることにより、情報書込／読出装置からの電波によりアンテナ部１１０に電流が流れ、この電流がＩＣチップ１０１に供給され、それにより、非接触状態において、情報書込／読出装置からＩＣチップ１０１に情報が書き込まれたり、ＩＣチップ１０１に書き込まれた情報が情報書込／読出装置にて読み出されたりする。
【００５４】
上述した非接触型ＩＣタグにおいては、図２に示したものと同様に、Ｂ−Ｂ’間と、Ｃ−Ｃ’間とではアンテナ部１１０の長さが異なるため、Ｂ−Ｂ’間と、Ｃ−Ｃ’間とのそれぞれに応じた共振点が存在することになる。さらに、アンテナ部１１０を構成する２つの導体１１０ａ，１１０ｂがそれぞれ、二等辺三角形の底辺１１１ａ，１１１ｂが頂点側に凹んだくの字状となったものであるため、アンテナ部１１０の長さは、Ｂ−Ｂ’間からＣ−Ｃ’間に渡って無段階に変化し、かつ、２つの導体１１０ａ，１１０ｂがそれぞれ二等辺三角形である場合と比べてアンテナ部１１０におけるＣ−Ｃ’間の長さが短くなっている。
【００５５】
このため、アンテナ部１１０においては、Ｂ−Ｂ’間の長さによる共振点となるリターンロスのピークポイントと、Ｃ−Ｃ’間の長さによる共振点となるリターンロスのピークポイントとが存在し、かつ、このピークポイント間はリターンロスがほぼ一定なものとなり、その周波数帯が広域なものとなる。また、アンテナ部１１０におけるＣ−Ｃ’間の長さが、２つの導体１１０ａ，１１０ｂがそれぞれ二等辺三角形である場合と比べて短くなっていることにより、ピークポイントＢが、２つの導体１１０ａ，１１０ｂがそれぞれ二等辺三角形である場合と比べて高い周波数に移動しており、上限周波数が上がっている。
【００５６】
これにより、Ｂ−Ｂ’間の長さによる共振点となるピークポイントにおける周波数が、情報の書き込み及び読み出しに用いる周波数ｆaとなるように、Ｂ−Ｂ’間の長さを、情報の書き込み及び読み出しに用いる周波数ｆaとベース基材１０２の比透磁率及び比誘電率とを用いて設定しておけば、後に、非接触型ＩＣタグが、例えば、書籍等の物品に貼付されて使用され、アンテナ部１１０の周波数特性が低い周波数方向に大きくシフトした場合であっても、情報の書き込み及び読み出しに用いる周波数ｆaが、Ｂ−Ｂ’間の長さによる共振点となるリターンロスのピークポイントと、Ｃ−Ｃ’間の長さによる共振点となるリターンロスのピークポイントとの間にあれば、非接触型ＩＣタグに対する情報の書き込み及び読み出しを行うことができる。
【００５７】
なお、二等辺三角形の底辺の形状においては、上述した２つの実施の形態のように、曲線状やくの字状に限らず、二等辺三角形の頂点側に凹むようなものであれば、その他に例えば、階段状のもの等であってもよい。
【００５８】
また、上述した２つの実施の形態においては、非接触型情報記録媒体として非接触型ＩＣタグを例に挙げて説明したが、本発明は、非接触状態にて情報の書き込み及び読み出しが可能なＩＣチップが導体１０ａ，１０ｂ，１１０ａ，１１０ｂに接続されてベース基材２，１０２上に搭載されてなる非接触型情報記録媒体であれば、この他に、非接触型ＩＣタグや非接触型ＩＣカード等も適用することができる。
【図面の簡単な説明】
【００５９】
【図１】本発明の広帯域アンテナの第１の実施の形態を示す図である。
【図２】図１に示した広帯域アンテナを有する非接触型ＩＣラベルの一例を示す図であり、（ａ）は上面図、（ｂ）は（ａ）に示したＡ−Ａ’断面図である。
【図３】図２に示した非接触型ＩＣタグの周波数特性を説明するための図である。
【図４】本発明の広帯域アンテナの第２の実施の形態を示す図である。
【図５】図４に示した広帯域アンテナを有する非接触型ＩＣラベルの一例を示す図であり、（ａ）は上面図、（ｂ）は（ａ）に示したＡ−Ａ’断面図である。
【図６】２．４５ＧＨｚの周波数帯を利用して通信を行うＩＣチップが搭載された非接触型ＩＣタグの一例を示す図であり、（ａ）は上面図、（ｂ）は（ａ）に示したＡ−Ａ’断面図である。
【図７】図６に示した非接触型ＩＣタグの周波数特性を説明するための図である。
【図８】一般的なボウタイアンテナを有する非接触型ＩＣタグの一例を示す図であり、（ａ）は上面図、（ｂ）は（ａ）に示したＡ−Ａ’断面図である。
【図９】図８に示した非接触型ＩＣタグの周波数特性を説明するための図である。
【符号の説明】
【００６０】
１，１０１    ＩＣチップ
２，１０２    ベース基材
１０，１１０    アンテナ部
１０ａ，１０ｂ，１１０ａ，１１０ｂ    導体
１１ａ，１１ｂ，１１１ａ，１１１ｂ    底辺
２０ａ，２０ｂ，１２０ａ，１２０ｂ    給電点
【図１】
2006074187.tif 000003
【図２】
2006074187.tif 000004
【図３】
2006074187.tif 000005
【図４】
2006074187.tif 000006
【図５】
2006074187.tif 000007
【図６】
2006074187.tif 000008
【図７】
2006074187.tif 000009
【図８】
2006074187.tif 000010
【図９】
2006074187.tif 000011